(57)【要約】【課題】  バックテンションやフロントテンションによる影響を軽減し、被記録媒体の送り精度を向上することができる搬送装置を提供すること。【解決手段】  搬送装置（１４５）において、搬送ローラ対３３０は、駆動源の動力によって駆動する搬送駆動ローラ３３１と、該搬送駆動ローラ３３１と外接して該搬送駆動ローラ３３１の回転に従って回転し、搬送方向に位置をずらして配設された複数の搬送従動ローラ３３２（３３２ａ、３３２ｂ）と、を備えていることを特徴とする。前記搬送装置は、前記搬送駆動ローラと外接して該搬送駆動ローラの回転に従って回転し、搬送方向に位置をずらして配設された複数の搬送従動ローラを備えていることで、搬送される被記録媒体が前記搬送駆動ローラに巻き付く量を増加させる。【選択図】図４
2008094511.tif 000002
【特許請求の範囲】
【請求項１】
載置された被記録媒体を給送する給送ローラと、給送された被記録媒体を記録部へ搬送する搬送ローラ対とを備えた搬送装置であって、
前記搬送ローラ対は、
駆動源の動力によって駆動する搬送駆動ローラと、
該搬送駆動ローラと外接して該搬送駆動ローラの回転に従って回転し、搬送方向に位置をずらして配設された複数の搬送従動ローラと、を備えていることを特徴とする搬送装置。
【請求項２】
請求項１に記載の搬送装置において、
前記搬送従動ローラは、
搬送方向上流側に偏倚して配設された第１偏倚搬送従動ローラと、
該第１偏倚搬送従動ローラよりも搬送方向下流側に偏倚して配設された第２偏倚搬送従動ローラと、を有し、
搬送方向において、前記第１偏倚搬送従動ローラおよび前記第２偏倚搬送従動ローラのいずれか一方のみ設けられ、
搬送される被記録媒体の幅方向において、前記第１偏倚搬送従動ローラおよび前記第２偏倚搬送従動ローラは、交互に配設されていることを特徴とする搬送装置。
【請求項３】
請求項１に記載の搬送装置において、
前記搬送従動ローラは、
搬送方向上流側に配設された第１搬送従動ローラと、
該第１搬送従動ローラよりも搬送方向下流側に配設された第２搬送従動ローラと、を有し、
搬送方向において、前記第１搬送従動ローラおよび前記第２搬送従動ローラは、並列に配設されていることを特徴とする搬送装置。
【請求項４】
請求項３に記載の搬送装置において、
前記第１搬送従動ローラの軸および前記第２搬送従動ローラの軸を保持する軸保持部と、
搬送方向において、前記軸保持部における前記第１搬送従動ローラの軸と前記第２搬送従動ローラの軸との間の中点と当接し前記搬送駆動ローラ側へ付勢する付勢手段と、を備えていることを特徴とする搬送装置。
【請求項５】
請求項４に記載の搬送装置において、前記軸保持部は、幅方向に２つの前記第１搬送従動ローラおよび２つの前記第２搬送従動ローラを、前記軸を介して保持し、
前記付勢手段は、幅方向において２つの前記第１搬送従動ローラの間の中点と、２つの前記第２搬送従動ローラの間の中点とを結ぶ線の中点を付勢するように構成されていることを特徴とする搬送装置。
【請求項６】
請求項１乃至５のいずれか１項に記載の搬送装置において、前記記録部は、インクを吐出する記録ヘッドと、該記録ヘッドと対向し被記録媒体を案内するプラテンとを備え、
搬送方向において最も下流側の前記搬送従動ローラは、搬送する被記録媒体を前記プラテン側へ押し付けるように配設されていることを特徴とする搬送装置。
【請求項７】
給送ローラによって給送された被記録媒体を搬送ローラ対によって搬送する搬送部と、
該搬送部から搬送された被記録媒体に記録ヘッドにより記録を実行する記録部と、を備えた記録装置であって、
前記搬送部は、請求項１乃至６のいずれか１項に記載された前記搬送装置を備えていることを特徴とする記録装置。
【請求項８】
載置された被液体噴射媒体を給送する給送ローラと、給送された被液体噴射媒体を液体噴射部へ搬送する搬送ローラ対とを備えた搬送部と、
前記液体噴射領域で被液体噴射媒体に液体を噴射する液体噴射部と、を備えた液体噴射装置であって、
前記搬送ローラ対は、
駆動源の動力によって駆動する搬送駆動ローラと、
該搬送駆動ローラと外接して該搬送駆動ローラの回転に従って回転し、搬送方向に位置をずらして配設された複数の搬送従動ローラと、を備えていることを特徴とする液体噴射装置。
【発明の詳細な説明】
【技術分野】
【０００１】
本発明は、載置された被記録媒体を給送する給送ローラと、給送された被記録媒体を記録部へ搬送する搬送ローラ対とを備えた搬送装置、該搬送装置を備えた記録装置および液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【背景技術】
【０００３】
従来の記録装置には、載置された被記録媒体としての用紙を給送する給送ローラと、給送された用紙を記録部へ搬送する搬送装置としての搬送ローラ対と、用紙にインクを吐出して記録を実行する記録部とが設けられていた（例えば特許文献１）。  
図９に示すのは、従来の搬送装置を備えた記録装置の一例である。図９に示す如く、記録装置５０１は、載置部から用紙５１２を下流側へ給送する給送ローラ５０２と、給送する際に用紙５１２、５１３が重送されそうになったとき、重なった用紙５１３を所謂、土手分離によって分離して最上位の用紙５１２一枚のみを通過させる分離部５０３と、給送された用紙５１２の先端を案内する案内面部５０４と、給送された用紙５１２を記録部５０９へ搬送する搬送ローラ対５０６とを備えている。
【０００４】
ここで、記録部５０９は、用紙５１２の幅方向である主走査方向に走査するキャリッジに設けられ、インクを吐出する記録ヘッド５１０と、記録ヘッド５１０と対向し下方から用紙５１２を支持するプラテン５１１とを備えている。  
また、搬送ローラ対５０６は、モータの駆動力によって回動する搬送駆動ローラ５０７と、ばね５０５によって搬送駆動ローラ５０７と外接するように付勢され、搬送駆動ローラ５０７の回動に従って回動する搬送従動ローラ５０８とを備えている。そして、搬送駆動ローラ５０７は、主走査方向に延設された一本の円柱状のローラである。一方、搬送従動ローラ５０８は、円柱状の複数のローラであり、主走査方向に直列に配設されている。  
従って、搬送駆動ローラ５０７と搬送従動ローラ５０８とが用紙５１２を挟持し、用紙５１２を記録部５０９へ搬送することができる。
【特許文献１】特開２００１−１９９０９３号公報
【発明の開示】
【発明が解決しようとする課題】
【０００５】
しかしながら、搬送従動ローラ５０８が直列に配設されているため、搬送従動ローラ５０８と搬送駆動ローラ５０７とに挟持される用紙５１２と、用紙５１２に搬送力を伝達する搬送駆動ローラ５０７との接触は、線接触となる。即ち、接触箇所の面積が非常に小さい状態である。従って、用紙５１２にバックテンションやフロントテンションが生じた場合、搬送ローラ対５０６の送り精度は、該バックテンションやフロントテンションの影響を受ける虞がある。また、用紙５１２は搬送駆動ローラ側でなく搬送従動ローラ側に巻き付くように搬送経路（５０４）が構成されていた。即ち、用紙５１２と搬送駆動ローラ５０７との接触面積が小さくなるように構成されており、前記バックテンションやフロントテンションの影響を受ける虞を助長していた。
【０００６】
本発明は、このような状況に鑑み成されたものであり、その課題は、バックテンションやフロントテンションによる影響を軽減し、被記録媒体の送り精度を向上することができる搬送装置、該搬送装置を備えた記録装置および液体噴射装置を提供することである。
【課題を解決するための手段】
【０００７】
上記課題を達成するため、本発明の第１の態様の搬送装置は、載置された被記録媒体を給送する給送ローラと、給送された被記録媒体を記録部へ搬送する搬送ローラ対とを備えた搬送装置であって、前記搬送ローラ対は、駆動源の動力によって駆動する搬送駆動ローラと、該搬送駆動ローラと外接して該搬送駆動ローラの回転に従って回転し、搬送方向に位置をずらして配設された複数の搬送従動ローラと、を備えていることを特徴とする。
【０００８】
本発明の第１の態様によれば、前記搬送装置は、前記搬送駆動ローラと外接して該搬送駆動ローラの回転に従って回転し、搬送方向に位置をずらして配設された複数の搬送従動ローラを備えている。従って、搬送される被記録媒体が前記搬送駆動ローラに巻き付く量を増加させることができる。このとき、搬送経路の形状と関係なく前記巻き付く量を増加させることができる。その結果、前記搬送駆動ローラの被記録媒体に対するグリップ力が増加し、前記搬送ローラ対によって単位時間当りに被記録媒体が送られる量（距離）である送り量を安定させることができる。
【０００９】
また、前記給送ローラと前記搬送駆動ローラとが完全に同期しない場合、送り量に差が生じ、前記搬送ローラ対に対して、前記給送ローラからの衝撃力が伝達される虞が生じる。係る場合であっても、搬送方向の上流側に位置をずらして配設された搬送従動ローラが前記衝撃力を吸収し、搬送方向の下流側に位置をずらして配設された搬送従動ローラが、搬送駆動ローラと協働して精度良く被記録媒体を搬送することができる。
【００１０】
本発明の第２の態様は、第１の態様において、前記搬送従動ローラは、搬送方向上流側に偏倚して配設された第１偏倚搬送従動ローラと、該第１偏倚搬送従動ローラよりも搬送方向下流側に偏倚して配設された第２偏倚搬送従動ローラと、を有し、搬送方向において、前記第１偏倚搬送従動ローラおよび前記第２偏倚搬送従動ローラのいずれか一方のみ設けられ、搬送される被記録媒体の幅方向において、前記第１偏倚搬送従動ローラおよび前記第２偏倚搬送従動ローラは、交互に配設されていることを特徴とする。
【００１１】
本発明の第２の態様によれば、第１の態様と同様の作用効果に加え、搬送方向において、前記第１偏倚搬送従動ローラおよび前記第２偏倚搬送従動ローラのいずれか一方のみ設けられ、搬送される被記録媒体の幅方向において、前記第１偏倚搬送従動ローラおよび前記第２偏倚搬送従動ローラは、交互に配設されている。従って、搬送される被記録媒体が前記搬送駆動ローラに巻き付く量を、容易に増加させることができる。このとき、搬送従動ローラの総数は、搬送方向の位置をずらさなかった場合と同じである。従って、コスト高になる虞がない。  
また、所謂ニップラインが二本形成されるので、被記録媒体の後端が搬送ローラ対を通過する際、前記後端がニップから開放されるときに前記後端を搬送方向下流側へ押し出すように作用する所謂、後端の蹴飛ばし力が生じるタイミングを分散することができる。その結果、送り量を安定させることができる。
【００１２】
本発明の第３の態様は、第１の態様において、前記搬送従動ローラは、搬送方向上流側に配設された第１搬送従動ローラと、該第１搬送従動ローラよりも搬送方向下流側に配設された第２搬送従動ローラと、を有し、搬送方向において、前記第１搬送従動ローラおよび前記第２搬送従動ローラは、並列に配設されていることを特徴とする。  
本発明の第３の態様によれば、第１の態様と同様の作用効果に加え、搬送方向において、前記第１搬送従動ローラおよび前記第２搬送従動ローラは、並列に配設されている。従って、上記第２の態様と比較して、より確実に前記巻き付き量を精度良く増加させることができる。このとき、被記録媒体のサイズが数種ある場合であっても、幅方向において巻き付き量を左右均等にすることができる。従って、左右の巻き付き量の差によるスキューが発生する虞がない。
【００１３】
本発明の第４の態様は、第３の態様において、前記第１搬送従動ローラの軸および前記第２搬送従動ローラの軸を保持する軸保持部と、搬送方向において、前記軸保持部における前記第１搬送従動ローラの軸と前記第２搬送従動ローラの軸との間の中点と当接し前記搬送駆動ローラ側へ付勢する付勢手段と、を備えていることを特徴とする。  
本発明の第４の態様によれば、第３の態様と同様の作用効果に加え、前記付勢手段は、搬送方向において、前記軸保持部における前記第１搬送従動ローラの軸と前記第２搬送従動ローラの軸との間の中点と当接し前記搬送駆動ローラ側へ付勢するように構成されている。従って、搬送方向上流側である前記第１搬送従動ローラが前記搬送駆動ローラに対して押圧する力と、下流側である前記第２搬送従動ローラが前記搬送駆動ローラに対して押圧する力とを均等にすることができる。その結果、送り量を一層安定させることができる。
【００１４】
本発明の第５の態様は、第４の態様において、前記軸保持部は、幅方向に２つの前記第１搬送従動ローラおよび２つの前記第２搬送従動ローラを、前記軸を介して保持し、前記付勢手段は、幅方向において２つの前記第１搬送従動ローラの間の中点と、２つの前記第２搬送従動ローラの間の中点とを結ぶ線の中点を付勢するように構成されていることを特徴とする。  
本発明の第５の態様によれば、第４の態様と同様の作用効果に加え、前記付勢手段は、幅方向において２つの前記第１搬送従動ローラの間の中点と、２つの前記第２搬送従動ローラの間の中点とを結ぶ線の中点を付勢するように構成されている。従って、幅方向において、前記２つの第１搬送従動ローラおよび２つの第２搬送従動ローラが前記搬送駆動ローラに対して押圧する力を、それぞれの２つのローラ一組内で均等にすることができる。即ち、前記２つの第１搬送従動ローラおよび２つの第２搬送従動ローラの計４つのローラの押圧力を均等にすることができる。その結果、送り量をより一層安定させることができる。
【００１５】
本発明の第６の態様は、第１から第５のいずれか一の態様において、前記記録部は、インクを吐出する記録ヘッドと、該記録ヘッドと対向し被記録媒体を案内するプラテンとを備え、搬送方向において最も下流側の前記搬送従動ローラは、搬送する被記録媒体を前記プラテン側へ押し付けるように配設されていることを特徴とする。  
本発明の第６の態様によれば、第１から第５のいずれか一の態様と同様の作用効果に加え、搬送方向において最も下流側の前記搬送従動ローラは、搬送する被記録媒体を前記プラテン側へ押し付けるように配設されている。従って、被記録媒体が前記プラテンから離間して前記記録ヘッドと擦れる、所謂浮き上がりを防止することができる。
【００１６】
本発明の第７の態様の記録装置は、給送ローラによって給送された被記録媒体を搬送ローラ対によって搬送する搬送部と、該搬送部から搬送された被記録媒体に記録ヘッドにより記録を実行する記録部と、を備えた記録装置であって、前記搬送部は、上記第１から第６のいずれかの態様の前記搬送装置を備えていることを特徴とする。  
本発明の第７の態様によれば、前記搬送部は、上記第１から第６のいずれかの態様の前記搬送装置を備えているので、記録装置において、上記第１から第６のいずれかの態様と同様の作用効果を得ることができる。
【００１７】
本発明の第８の態様の液体噴射装置は、載置された被液体噴射媒体を給送する給送ローラと、給送された被液体噴射媒体を液体噴射部へ搬送する搬送ローラ対とを備えた搬送部と、前記液体噴射領域で被液体噴射媒体に液体を噴射する液体噴射部と、を備えた液体噴射装置であって、前記搬送ローラ対は、駆動源の動力によって駆動する搬送駆動ローラと、該搬送駆動ローラと外接して該搬送駆動ローラの回転に従って回転し、搬送方向に位置をずらして配設された複数の搬送従動ローラと、を備えていることを特徴とする。
【発明を実施するための最良の形態】
【００１８】
以下、本発明の実施の形態を図面に基づいて説明する。  
図１に示すのは、本発明に係る液体噴射装置の一例である記録装置の概略を示す全体斜視図である。また、図２に示すのは、本発明に係る記録装置の概略を示す全体平面図である。  
記録装置１００の本体の背面側には、被記録媒体としての用紙Ｐが載置・積層される載置部としてのホッパ１０１が、上方を支点に揺動可能に設けられている。ホッパ１０１の最上位に載置された用紙Ｐは、給送部１４４によって、搬送方向下流側である記録部側へ給送される。具体的には、載置された用紙Ｐは、給送用モータ１０４によって駆動する給送ローラ３１１（図３および図４参照）により、左右の用紙ガイド１０３、１０３に案内されながら搬送方向の下流側の搬送装置の一例である搬送部１４５としての搬送ローラ対３３０（図３および図４参照）へと給送される。搬送ローラ対３３０まで給送された用紙Ｐは、搬送用モータ（図示せず）によって駆動する搬送駆動ローラ３３１（図３および図４参照）により、さらに搬送方向の下流側の記録部１４３へと搬送される。
【００１９】
記録部１４３は、用紙Ｐを下方から支持するプラテン１０５と、プラテン１０５の上方側に対向するように設けられたキャリッジ１０７とによって構成される。そのうち、キャリッジ１０７は、搬送される用紙Ｐの幅方向である主走査方向へ延びたキャリッジガイド軸（図示せず）に案内されながらキャリッジモータ１０２によって駆動する。さらに、キャリッジ１０７の底面部には、用紙Ｐへ向かってインクを吐出する記録ヘッド１０６が設けられている。記録部１４３で記録された用紙Ｐは、さらに下流側へと搬送され排紙ローラ（図示せず）によって記録装置１００の正面側から排出される。
【００２０】
また、記録装置１００の本体の下方には、インクカートリッジ（図示せず）が装填され、インク供給針（図示せず）を介してインク供給路（図示せず）へとインクが供給される。さらに、インクは、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２０４を備え、キャップ部２０４を上下方向へ移動させて記録ヘッド１０６を封止することができるように構成されている。
【００２１】
図３に示すのは、本発明に係る搬送装置の概略を示す斜視図である。また、図４に示すのは、本発明に係る搬送装置の概略を示す側面図である。またさらに、図５に示すのは、本発明に係る搬送装置の従動ローラホルダ部とその周辺を示す斜視図である。さらに、図６に示すのは、図５の要部拡大斜視図である。尚、図３および図４において、搬送従動ローラを保持する従動ローラホルダ部（図５参照）は省略する。
【００２２】
図３および図４に示す如く、給送ローラ軸３１２には、用紙Ｐを搬送ローラ対３３０へ給送する給送ローラ３１１が設けられている。給送ローラ３１１が図４における時計方向へ回動すると、ホッパ１０１によって給送ローラ３１１に押し付けられ接触している最上位の用紙Ｐが、搬送ローラ対側へ送られる。
【００２３】
このとき、用紙Ｐが重送されそうになった場合であっても、用紙Ｐの先端が分離部２１０と当接し、所謂、土手分離によって最上位の用紙Ｐのみが分離部２１０を乗り越えるように設けられている。そして、用紙Ｐの先端は、案内面部３２０に案内されて搬送ローラ対３３０まで到達する。搬送ローラ対３３０は、モータの駆動力で回動する搬送駆動ローラ３３１と、付勢手段の一例であるねじりコイルばね３４１の付勢力よって搬送駆動ローラ３３１に押圧され外接する回動自在な搬送従動ローラ３３２とを備えている。さらに、搬送従動ローラ３３２は、搬送方向上流側に設けられ主走査方向に複数配設された第１搬送従動ローラ３３２ａと、第１搬送従動ローラ３３２ａよりも下流側に設けられ主走査方向に複数配設された第２従動ローラとを有している。即ち、搬送従動ローラ３３２は、第１搬送従動ローラ３３２ａおよび第２搬送従動ローラ３３２ｂを並列に備えている。
【００２４】
そして、搬送ローラ対３３０に用紙Ｐの先端を突き当てることによって、第１搬送従動ローラ３３２ａと搬送駆動ローラ３３１との接線であるニップラインに用紙Ｐの先端を倣わせる、所謂「突き当て方式」によるスキュー取りを実行する。その後、搬送駆動ローラ３３１を図４における反時計方向へ回動させ、用紙Ｐを下流側へ搬送する。用紙Ｐは、プラテン１０５に案内されながら搬送され、記録ヘッド１０６のノズル開口列２４０からインクが吐出されるによって記録が実行される。  
尚、用紙Ｐの先端が第１搬送従動ローラ３３２ａと搬送駆動ローラ３３１とによって挟持されてから、用紙Ｐの後端が給送ローラ３１１を通過するまで間、給送ローラ３１１および搬送駆動ローラ３３１は同期するように構成されている。従って、バックテンションは殆ど生じない。
【００２５】
図４に示す如く、搬送ローラ対３３０は、第１搬送従動ローラ３３２ａと第２搬送従動ローラ３３２ｂとを備えている。従って、用紙Ｐが搬送駆動ローラ３３１と接触する面積を大きくすることができる。即ち、従来は線接触であったのに対し、本実施形態では面接触である。さらに、従来は従動ローラ側に巻き付いている構成であったのに対し、本実施形態では搬送駆動ローラ側に巻き付いている構成である。従って、用紙Ｐを搬送する際の送り精度を向上させることができる。その結果、良好な記録結果を得ることができる。  
尚、用紙Ｐの巻き付き角は、約４５度となるように、第１搬送従動ローラ３３２ａおよび第２搬送従動ローラ３３２ｂが設けられている。
【００２６】
また、給送ローラ３１１と搬送駆動ローラ３３１とが完全に同期しない虞がある場合であっても、搬送ローラ対３３０は、用紙Ｐを精度良く搬送することができる。具体的には、給送ローラ３１１の送り量と、搬送駆動ローラ３３１の送り量との差によって衝撃力が生じ、給送ローラ側から用紙Ｐを伝達して搬送ローラ対３３０まで到達する虞がある。このとき、上流側の第１搬送従動ローラ３３２ａが前記衝撃力を吸収することができ、下流側の第２搬送従動ローラ３３２ｂと搬送駆動ローラ３３１とが確実に用紙Ｐを精度良く搬送することができる。
【００２７】
続いて、搬送従動ローラ３３２を保持する従動ローラホルダ部３４０について説明する。  
図５および図６に示す如く、第１搬送従動ローラ３３２ａおよび第２搬送従動ローラ３３２ｂには、貫通開口部３４４が設けられている。そして、第１搬送従動ローラ３３２ａには、第１軸３４２が挿通され、一方、第２搬送従動ローラ３３２ｂには、第２軸３４３が挿通されている。このとき、一本の第１軸３４２、第２軸３４３には、それぞれ２つのローラが挿通されるように構成されている。そして、２つの第１搬送従動ローラ３３２ａ、３３２ａ、２つの第２搬送従動ローラ３３２ｂ、３３２ｂの間には、第１軸３４２および第２軸３４３を保持する軸保持部３４６が配設されている。即ち、主走査方向において、２つの第１搬送従動ローラ３３２ａ、３３２ａ、２つの第２搬送従動ローラ３３２ｂ、３３２ｂの中央に軸保持部３４６が位置するように設けられている。
【００２８】
そして、従動ローラホルダ部３４０には、ねじりコイルばね３４１が設けられ、ねじりコイルばね３４１の一端である第１ばね端部３４１ａは、従動ローラホルダ部３４０と係合している。一方の他端である第２ばね端部３４１ｂは、軸保持部３４６と当接して搬送駆動ローラ側へ押圧している。このとき、第２ばね端部３４１ｂと軸保持部３４６との当接位置は、搬送方向において第１軸３４２と第２軸３４３との間の中央位置である。従って、２つの第１搬送従動ローラ３３２ａ、３３２ａおよび２つの第２搬送従動ローラ３３２ｂ、３３２ｂの計４つの搬送従動ローラ３３２を、均等な力で搬送駆動ローラ側へ押圧することができる。
【００２９】
また、従動ローラホルダ部３４０において、前記計４つの搬送従動ローラ３３２の主走査方向両側には、第１軸３４２および第２軸３４３それぞれが係合する軸ガイド溝３４５、３４５が設けられている。軸ガイド溝３４５、３４５は、第１軸３４２および第２軸３４３が上方、即ち、搬送駆動ローラ３３１から離間する方向へ移動することができるように設けられている。さらに、軸ガイド溝３４５、３４５は、第１軸３４２および第２軸３４３が搬送方向へ傾くことを規制するようにも設けられている。
【００３０】
またさらに、軸保持部３４６の上部は、側視へ字状となっており、搬送ローラ対が厚みのある用紙Ｐを挟持する際、２つの第１搬送従動ローラ３３２ａ、３３２ａおよび２つの第２搬送従動ローラ３３２ｂ、３３２ｂの計４つの搬送従動ローラ３３２の搬送駆動ローラへの押圧力を変化させることなく、２つの第１搬送従動ローラ３３２ａ、３３２ａを上方へ用紙Ｐの厚み分退避させ、続いて、２つの第２搬送従動ローラ３３２ｂ、３３２ｂを上方へ用紙Ｐの厚み分退避させることができる。
【００３１】
本実施形態の搬送装置（１４５）は、載置された被記録媒体としての用紙Ｐを給送する給送ローラ３１１と、給送された用紙Ｐを記録部１４３へ搬送する搬送ローラ対３３０とを備えた搬送装置（１４５）であって、搬送ローラ対３３０は、駆動源の動力によって駆動する搬送駆動ローラ３３１と、搬送駆動ローラ３３１と外接して搬送駆動ローラ３３１の回転に従って回転し、搬送方向に位置をずらして配設された複数の搬送従動ローラ３３２と、を備えていることを特徴とする。
【００３２】
また、本実施形態の搬送従動ローラ３３２は、搬送方向上流側に配設された第１搬送従動ローラ３３２ａと、第１搬送従動ローラ３３２ａよりも搬送方向下流側に配設された第２搬送従動ローラ３３２ｂと、を有し、搬送方向において、第１搬送従動ローラ３３２ａおよび第２搬送従動ローラ３３２ｂは、並列に配設されていることを特徴とする。  
またさらに、本実施形態の搬送装置（１４５）において、第１搬送従動ローラ３３２ａの軸である第１軸３４２および第２搬送従動ローラ３３２ｂの軸である第２軸３４３を保持する軸保持部３４６と、搬送方向において、軸保持部３４６における第１軸３４２と第２軸３４３との間の中点と当接し搬送駆動ローラ側へ付勢する付勢手段であるねじりコイルばね３４１と、を備えていることを特徴とする。
【００３３】
さらに、軸保持部３４６は、幅方向に２つの第１搬送従動ローラ３３２ａ、３３２ａおよび２つの第２搬送従動ローラ３３２ｂ、３３２ｂを、第１軸３４２および第２軸３４３を介してそれぞれ保持し、ねじりコイルばね３４１は、幅方向において２つの第１搬送従動ローラ３３２ａ、３３２ａの間の中点と、２つの第２搬送従動ローラ３３２ｂ、３３２ｂの間の中点とを結ぶ線の中点を付勢するように構成されていることを特徴とする。
【００３４】
また、本実施形態の搬送装置（１４５）において、記録部１４３は、インクを吐出する記録ヘッド１０６と、記録ヘッド１０６と対向し用紙Ｐを案内するプラテン１０５とを備え、搬送方向において最も下流側の第２搬送従動ローラ３３２ｂは、搬送する用紙Ｐをプラテン側へ押し付けるように配設されていることを特徴とする。  
本実施形態の記録装置１００は、給送ローラ３１１によって給送された用紙Ｐを搬送ローラ対３３０によって搬送する搬送部１４５と、搬送部１４５から搬送された用紙Ｐに記録ヘッド１０６により記録を実行する記録部１４３と、を備えた記録装置１００であって、搬送部１４５は、上記搬送装置（１４５）を備えていることを特徴とする。
【００３５】
［他の実施形態］  
図７に示すのは、他の実施形態に係る搬送装置の概略を示す斜視図である。また、図８に示すのは、他の実施形態に係る搬送装置の概略を示す側面図である。尚、図７および図８において、搬送従動ローラを保持する従動ローラホルダ部は省略する。  
図７および図８に示す如く、他の実施形態の搬送ローラ対４３０は、モータの駆動力によって回動する搬送駆動ローラ４３１と、搬送駆動ローラ４３１と外接する搬送従動ローラ４３２とを備えている。そして、搬送従動ローラ４３２は、千鳥配置に設けられている。具体的には、搬送方向上流側に偏倚、即ち、ずらして第１偏倚搬送従動ローラ４３２ａと、第１偏倚搬送従動ローラ４３２ａより下流側に偏倚、即ち、ずらして第２偏倚搬送従動ローラ４３２ｂとが配設されている。さらに、搬送従動ローラ２つ置きに第１偏倚搬送従動ローラ４３２ａと第２偏倚搬送従動ローラ４３２ｂとが千鳥配置になっている。その他の部材は、前述した実施形態と同じであるので、同じ符号を用いると共にその説明は省略する。また、軸保持部３４６およびねじりコイルばね３４１等の付勢する構成については図示しないが前述した実施形態と軸を１本のみ保持することを除いて同様である。
【００３６】
他の実施形態において、第１偏倚搬送従動ローラ４３２ａと第２偏倚搬送従動ローラ４３２ｂとが千鳥配置になっているので、前述した実施形態と同様に用紙Ｐの送り精度を向上させることができる。さらに、前述した実施形態と比較して、搬送従動ローラ４３２の数量が少ないのでコスト低減に有効である。  
尚、用紙Ｐの巻き付き角は、約１３度となるように、第１偏倚搬送従動ローラ４３２ａおよび第２偏倚搬送従動ローラ４３２ｂが設けられている。  
また、上流側の第１偏倚搬送従動ローラ４３２ａの数量を、下流側の第２偏倚搬送従動ローラ４３２ｂの数量より大とすることで、「突き当て方式」によるスキュー取りの精度の低下を防止することができる。
【００３７】
本実施形態の搬送従動ローラ４３２は、搬送方向上流側に偏倚して配設された第１偏倚搬送従動ローラ４３２ａと、第１偏倚搬送従動ローラ４３２ａよりも搬送方向下流側に偏倚して配設された第２偏倚搬送従動ローラ４３２ｂと、を有し、搬送方向において、第１偏倚搬送従動ローラ４３２ａおよび第２偏倚搬送従動ローラ４３２ｂのいずれか一方のみ設けられ、搬送される用紙Ｐの幅方向において、第１偏倚搬送従動ローラ４３２ａおよび第２偏倚搬送従動ローラ４３２ｂは、交互に配設されていることを特徴とする。
【００３８】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００３９】
【図１】本発明に係る記録装置の概略を示す全体斜視図。
【図２】本発明に係る記録装置の概略を示す全体平面図。
【図３】本発明に係る搬送装置の概略を示す斜視図。
【図４】本発明に係る搬送装置の概略を示す側面図。
【図５】本発明に係る搬送装置の従動ローラホルダ部とその周辺を示す斜視図。
【図６】図５の要部拡大斜視図。
【図７】他の実施形態に係る搬送装置の概略を示す斜視図。
【図８】他の実施形態に係る搬送装置の概略を示す側面図。
【図９】従来の記録装置の概略を示す側面図。
【符号の説明】
【００４０】
１００  記録装置、１０１  ホッパ、１０２  キャリッジモータ、１０３  用紙ガイド、
１０４  給送用モータ、１０５  プラテン、１０６  記録ヘッド、１０７  キャリッジ、
１１０  インク供給チューブ、１４３  記録部、１４４  給送部、１４５  搬送部、
２００  インク吸引装置、２０４  キャップ部、２１０  分離部、
２４０  ノズル開口列、３１１  給送ローラ、３１２  給送ローラ軸、
３２０  案内面部、３３０  搬送ローラ対、３３１  搬送駆動ローラ、
３３２  搬送従動ローラ、３３２ａ  第１搬送従動ローラ、
３３２ｂ  第２搬送従動ローラ、３４０  従動ローラホルダ部、
３４１  ねじりコイルばね、３４１ａ  第１ばね端部、３４１ｂ  第２ばね端部、
３４２  第１軸、３４３  第２軸、３４４  貫通開口部、３４５  軸ガイド溝、
３４６  軸保持部、４３０  搬送ローラ対、４３１  搬送駆動ローラ、
４３２  搬送従動ローラ、４３２ａ  第１偏倚搬送従動ローラ、
４３２ｂ  第２偏倚搬送従動ローラ、５０１  （従来技術の）記録装置、
５０２  給送ローラ、５０３  分離部、５０４  案内面部、５０５  ばね、
５０６  搬送ローラ対、５０７  搬送駆動ローラ、５０８  搬送従動ローラ、
５０９  記録部、５１０  記録ヘッド、５１１  プラテン、５１２  用紙、
５１３  用紙、Ｐ  用紙
【図１】
2008094511.tif 000003
【図２】
2008094511.tif 000004
【図３】
2008094511.tif 000005
【図４】
2008094511.tif 000006
【図５】
2008094511.tif 000007
【図６】
2008094511.tif 000008
【図７】
2008094511.tif 000009
【図８】
2008094511.tif 000010
【図９】
2008094511.tif 000011